(57)【要約】【課題】  横形マシニングセンタにおいて、Ｘ軸摺動面カバーと交換用の工具マガジンの構造を改良して機械寸法の短縮化を図る。【解決手段】  横形マシニングセンタ１は、ベッド１０上にテーブル２０を有する。ベッド１０上には、Ｘ軸摺動面が設けられ、コラム３０がサーボモータ３２により駆動される。コラム３０には、主軸台４０が支持され、垂直方向のＹ軸に沿って駆動される。主軸台４０の主軸４４に対して、自動工具交換装置１００により工具マガジンの工具が交換される。テーブル２０とコラム３０の間に設けられるＸ軸カバー２００は、板状の固定カバー２０５と１対の摺動カバー２１０を有し、固定カバー２０５の一方の端部は、工具マガジン１１０の中央に設けられる開口部１５０を貫通して配置される。この構造により機械寸法が短縮される。【選択図】        図１
2005125421.tif 000002
【特許請求の範囲】
【請求項１】
ベッドとベッド上に装備される工作物を載置するテーブルと、ベッド上に水平方向の軸線に沿って設けられるガイドレール上を移動するコラムと、コラムに垂直方向の軸線に沿って設けられるガイドレール上を移動する主軸台と、主軸台に水平方向に装備される主軸と、主軸近傍に配設される自動工具交換装置と、交換工具を収容する工具マガジンを備えた横形マシニングセンタであって、
テーブルとコラムとの間に配設されるカバーは、垂直面内に固定される板状の固定カバーと、固定カバーに対して摺動自在に支持される１対の摺動カバーを備え、カバーの一方の端部は、工具マガジンの中央部に設けられる開口部を貫通して配設される横形マシニングセンタ。
【請求項２】
摺動カバーは、固定カバーの端部から着脱される構造を備える請求項１記載の横形マシニングセンタ。
【発明の詳細な説明】
【技術分野】
【０００１】
本発明は、横形マシニングセンタにおいて、摺動部のカバー構造と工具マガジンの配置を改良した横形マシニングセンタに関する。
【背景技術】
【０００２】
例えば、横形マシニングセンタのような複合加工機械にあっては、工作物を切削加工する際に発生する切粉、切削液が摺動面等に浸入することを防止するカバーが装備される。また、マシニングセンタにあっては、主軸の近傍に自動工具交換装置が装備されるために、工具マガジン等のためのスペースを必要とし、機械全体のフロア面積が増大する要因となっている。
旋盤等の工作機械における摺動面カバーは、下記の特許文献１に開示されている。
【特許文献１】特開平７−２５１３４８号公報
【発明の開示】
【発明が解決しようとする課題】
【０００３】
本発明は、横形マシニングセンタにあって、Ｘ軸摺動面を覆うカバーの構造を改良するとともに、工具マガジンとカバーの配置を改良することで、機械の幅寸法を縮少するとともに、保守性を向上する横形マシニングセンタを提供するものである。
【課題を解決するための手段】
【０００４】
本発明の横形マシニングセンタは、基本的手段として、ベッドとベッド上に装備される工作物を載置するテーブルと、ベッド上に水平方向の軸線に沿って設けられるガイドレール上を移動するコラムと、コラムに垂直方向の軸線に沿って設けられるガイドレール上を移動する主軸台と、主軸台に水平方向に装備される主軸と、主軸近傍に配設される自動工具交換装置と、交換工具を収容する工具マガジンを備え、テーブルとコラムとの間に配設されるカバーは、垂直面内に固定される板状の固定カバーと、固定カバーに対して摺動自在に支持される１対の摺動カバーを備え、カバーの一方の端部は、工具マガジンの中央部に設けられる開口部を貫通して配設されるものである。
そして、摺動カバーは、固定カバーの端部から着脱される構造を備える。
【発明の効果】
【０００５】
本発明にあっては、垂直面内に設けられるカバーの一端部を工具マガジンの中央部の開口部を貫通して配設することができる。そこで、機械全体のサイズを短縮してフロアスペースを小さくすることができる。
【発明を実施するための最良の形態】
【０００６】
図１は、本発明を実施する横形マシニングセンタの概要を示す斜視図である。
全体を符号１で示す横形マシニングセンタは、ベッド１０上にテーブル２０を備え、工作物がテーブル２０上に搭載される。
ベッド１０上には、図示しないＸ軸摺動面が設けられ、コラム３０がＸ軸方向に摺動自在に装備される。コラム３０は、サーボモータ３２により駆動される。
コラム３０には、主軸台４０がＹ軸方向に摺動自在に支持されている。主軸台４０は、サーボモータ４２により、Ｙ軸方向に駆動される。主軸台４０に支持される主軸４４は切削工具を把持し、テーブル２０に対してＺ軸方向に相対移動する。
【０００７】
ベッド１０上のテーブル２０の近傍には、工具マガジン１１０が配置される。工具マガジン１１０と主軸４４との間には、自動工具交換装置１００が装備され、主軸４４から使用済みの工具を引き抜き、新たな工具を挿入する。
コラム３０とテーブル２０の間には、Ｘ軸摺動面のカバー２００が装備される。
カバー２００は、板状の固定カバー２０５を有し、固定カバー２０５の下部は、ベッド１０側に固定される。
【０００８】
また、固定カバー２０５の工具マガジン１１０側の端部は、工具マガジン１１０の中央部に設けられる開口部１５０を貫通して配置される。
【０００９】
カバー２００は、固定カバー２０５に対して摺動自在に取り付けられる左右１対の摺動カバー２１０を有する。左右１対の摺動カバー２１０の先端部は、主軸台４０側に取り付けられ、主軸台４０がＸ軸方向に移動するのに追従して摺動する。
左右１対の摺動カバー２１０の開口部２２０で主軸台４０は上下動する。この開口部２２０は、Ｙ軸カバーで覆われる。
【００１０】
図２は、本発明の横形マシニングセンタ１を工具マガジン側からみた左側面図である。
工具マガジン１１０内には、工具Ｔを支持するチェーン１２０が装備される。工具交換時には、必要な工具Ｔが交換位置に割り出され、主軸４４の使用済み工具Ｔと自動的に交換される。
【００１１】
工具マガジン１１０の中央部には、開口部１５０が設けられる。鉛直方向に装備されるＸ軸摺動面カバー２００の工具マガジン１１０側の端部は、この工具マガジンの開口部１５０を貫通する状態で配置される。
【００１２】
図３は、本発明の横形マシニングセンタ１を工具マガジン１１０側からみた斜視図である。
自動工具交換装置１００の工具交換アーム１０２と工具マガジン１１０および主軸４４の位置関係が示されている。
【００１３】
図４は、本発明の横形マシニングセンタ１を背面からみた斜視図である。
Ｘ軸摺動面カバー２００の端部が工具マガジン１１０の開口部１５０を貫通している状態を示している。
【００１４】
本発明のカバー２００にあっては、左右１対の摺動カバー２１０は、固定カバー２０５にも受けられる摺動レールに沿って摺動するが、固定カバーの両側端部から取り外し、又は装着することができる。
【００１５】
図５は、Ｘ軸摺動面カバー２００の端部の構造を示す断面図である。
Ｘ軸摺動面カバー２００は、固定カバー２０５内に配設される複数枚の摺動カバー２１０を有する。
【００１６】
摺動カバー２１０はコラム３０がＸ軸方向に高速移動するのに追従して高速で摺動する。この高速での移動と停止を繰り返すことにより、メインテナンスが必要となる。
【００１７】
メインテナンス時には、Ｘ軸摺動面カバー２００の端部に設けられた側壁２０６を取り外し、内部の摺動カバー２１０を矢印Ａで示す側方へ引き出す。Ｘ軸摺動面カバー２００の工具マガジン１１０側の側端部も同様の構造を備える。
【００１８】
本発明にあっては、工具マガジン１１０側のＸ軸摺動面カバー２００の端部は、工具マガジン１１０の開口部１５０から突出して配置されるので、工具マガジン１１０側での摺動カバー２１０の着脱も容易となる。
したがってＸ軸摺動面カバー２００の組立やメインテナンスも容易に達成できる。
【００１９】
本発明の横形マシニングセンタ１は、以上の構成によって、機械の幅寸法Ｄを短縮することができる。そこで、機械全体を小型化し、フロアスペースを節約することができる。また、Ｘ軸摺動面カバー２００に対するアクセスも向上し、保守も容易となる。
【産業上の利用可能性】
【００２０】
本発明は以上のように、横形マシニングセンタのような複合加工機械の小型化を実現することに利用できる。
【図面の簡単な説明】
【００２１】
【図１】本発明の横形マシニングセンタの斜視図。
【図２】本発明の横形マシニングセンタの左側面図。
【図３】本発明の横形マシニングセンタを工具マガジン側からみた斜視図。
【図４】本発明の横形マシニングセンタを背面からみた斜視図。
【図５】Ｘ軸摺動面カバーの端部の説明図。
【符号の説明】
【００２２】
１  横形マシニングセンタ
１０  ベッド
２０  テーブル
３０  コラム
４０  主軸台
４４  主軸
１００  自動工具交換装置
１１０  工具マガジン
１５０  開口部
２００  Ｘ軸摺動面カバー
２０５  固定カバー
２１０  摺動カバー
【図１】
2005125421.tif 000003
【図２】
2005125421.tif 000004
【図３】
2005125421.tif 000005
【図４】
2005125421.tif 000006
【図５】
2005125421.tif 000007